Podtech/llm-jp-corpus-v4-ja_patent huggingface dataset:
(57)【要約】【課題】  一般家庭の圧力の強い水道水の水量を調整し、固定していつでも最適水量で使用出来、水の無駄を防ぎ、節水出来る水道水調整具を提供する。【解決手段】  プラスティックで成形した水道調整回転ネジ収め具（１）に水道調整回転ネジ（３）を差し込み、プラスティックで成形した止水ゴムリング締め付け八角形具（５）で、止水ゴムリング（４）を回転締め付け圧縮し、水漏れを防ぎ、水量調整回転ネジ（３）をドライバーで回転ネジドライバー差し込み穴（２）に差し込み回転させて最適量の水量を設定し、節水して水の無駄を防ぐことを特徴とする。【選択図】図１
0003133408.tif 000002
【実用新案登録請求の範囲】
【請求項１】
水量調整回転ネジ収め具と止水ゴムリング締め付け八角形具を水道蛇口部に取り付け、一般家庭で水道水量を最適量に調整して、節水使用出来ることを特徴とする水道水調整具。
【考案の詳細な説明】
【技術分野】
【０００１】  本考案は、水道蛇口部に取り付け水量を最適な状態に調整固定して、節水使用する水道水調整具に関するものである。
【背景技術】
【０００２】  従来、主に営業用節水として流量調節装置があり、その装置が、盗難、紛失を防止する目的で取り付け取外しは、専用工具を使用する流量調節装置があった（実願文献１参照）。
【実願文献１】
実開２００６−５２８９（Ｕ２００６−５２８９）
【考案の開示】
【考案が解決しようとする課題】
【０００３】  これには、次のような問題点があった。
（イ）主眠は、営業用で装置の盗難、紛失の防止が目的である。
（ロ）専用工具が必要で各部品の数が多すぎる。
（ハ）部品製作面の難度が高い。
（二）製作コストが高い。
（ホ）一般家庭のニーズに難がある。
本考案は、これらの問題点を解決するためになされたものである。
【課題を解決するための手段】
【０００４】  本考案は、プラスティックで成形した水量調整回転ネジ収め具と水量調整回転ネジと止水ゴムリング締め付け八角形具と止水ゴムリングの４点から成り、水道蛇口に取り付け節水するのが特徴とする水道水調整具である。
【考案の効果】
【０００５】  構造のシンプル化により部品の数の削減と部品のコスト面の軽減も出来、部品が４点と少ないので取り付けも簡単に出来て一般家庭向きである。
【考案を実施するための最良の形態】
【０００６】  以下、本考案の実施の形態について説明する。
（イ）プラスティックで成形した水量調整回転ネジ収め具（１）に水量調整回転ネジ（３）を収め、水道蛇口（６）に押さえ付け止水ゴムリング（４）を上に乗せ、止水ゴムリング締め付け八角形具（５）で回転させながら締め付ける。
【実施例】
【０００７】  本考案は以上のような構造で、これを使用する時には、止水ゴムリング締め付け八角形具（５）を先に水道蛇口（６）より水道管にくぐらして置き、次に、水量調整回転ネジ収め具（１）を水道蛇口（６）の下に押し当てその上に止水ゴムリング（４）を乗せ、止水ゴムリング締め付け八角形具（５）で回転させて水漏れを防止し、ドライバーを回転ネジドライバー差し込み穴（２）に差し込み、水量調整回転ネジ（３）を回転させて、水圧の強い水道水量を最適流量になるようにセットし調整することで節水することができる。
【図面の簡単な説明】
【０００８】
【図１】  本考案を示す断面図
【図２】  本考案の水道水調整ネジの斜視図
【符号の説明】
【０００９】    １  水量調整回転ネジ収め具
２  回転ネジドライバー差し込み穴
３  水量調整回転ネジ
４  止水ゴムリング
５  止水ゴムリング締め付け八角形具
６  水道蛇口
７  水道水流水路
【図１】
0003133408.tif 000003
【図２】
0003133408.tif 000004
(57)【要約】【課題】  入浴の際、通常のボディタオルを使用して背中を洗う場合、背中の窪み部分はボディタオルが接触しにくく、洗い残り感とスッキリ感がいまいちである。【解決手段】  ボディタオルの真ん中の幅を通常より１．５〜２．０倍に幅を広げた物を作り、ひと結びすることで瘤部分を作って背中の窪み部分を洗うと、綺麗に洗えるうえ、瘤部分の接触によるマッサージ感により入浴の満足感が充足され、この課題を解決できる。【選択図】図１
0003133411.tif 000002
【実用新案登録請求の範囲】
【請求項１】
入浴時に体を洗う時、通常形のボディタオルでは洗いにくい背中の窪み部分を洗いやすくするために、ボディタオル中心部の幅を広くして、ひと結びすると瘤状部分がより大きくなることで背中の窪みを洗いやすくしたボディタオル。
【考案の詳細な説明】
【技術分野】
【０００１】  本考案は、通常洗いにくい背中の窪みを洗いやすくするボディタオルに関する。
【背景技術】
【０００２】  従来は、通常形のボディタオルをそのまま使用して洗うか、ひと結びして瘤状を作り洗っていた。
【考案の開示】
【考案が解決しようとする課題】
【０００３】  しかし、背中の窪みにボディタオルが直接かからない、若しくは，瘤が小さいために洗いにくく、洗浄感や爽快感がいまいちであった。瘤を大きくするためにボディタオルを何回も結び大きくする方法もあるが、何回も結ぶと長さが短くなり背中自体が洗いにくくなるので、「ボディタオルの長さが変らず、結んだ真ん中の瘤を適度に大きく」しないと背中の窪みは洗いにくい。
【課題を解決するための手段】
【０００４】  そこで、ボデイタオルの中心部の幅を１．５〜２．０倍程度に広くすると、ひと結びしてできた瘤は、適度に良い大きさとなる。
【考案の効果】
【０００５】  よって、本考案のボディタオルをひと結びして、瘤状形態を作り背中を洗えば、通常なんとなく洗った後の背中の窪みの洗浄不満感が解決して、爽快感に満足することができる。
【考案を実施するための最良の形態】
【０００６】  本考案に係る背中の窪みを洗いやすくするボディタオルは、通常形のものより中心部分の幅を広く、長さを若干長くすれば良い。
【図面の簡単な説明】
【０００７】
【図１】  本考案に係る背中の窪みを洗いやすくするボディタオルは、もじどおりひと結びするだけで出来るタオルの瘤状をつくるためのものであり、図のような通常の洗い方でよい。
【符号の説明】
【０００８】    １    ボディタオルの幅        通常  ａ          本考案  Ａ
２      〃        の中心軸幅  通常  ｂ＝ａ      本考案  Ｂ
３      〃        の長さ      通常  ｃ          本考案  Ｃ
４    ひと結びして出来た瘤
【図１】
0003133411.tif 000003
(57)【要約】【課題】ブロック壁を構築する際、コンクリートブロックの透孔への生コンクリートの打設を迅速にしかも正確且つ容易に行うことができるコンクリート打設器を提供する。【解決手段】漏斗状の吐出口１ａを有し、後端開放１ｂされたホッパー１の上面に中空のハンドル連結筒２を後方に向かい且つ上方に傾斜して一体的に取り付ける。木製棒状のハンドル３を、ハンドル連結筒２に挿入してピン４で固定する。ここで、ハンドル３に穿孔されるピン挿通孔３ａは、固定ピン４の直径よりも大径にし、ハンドル３をハンドル連結筒２に固定した状態で、ハンドル３とホッパー１の間に遊びが生じ、ハンドル３を持った状態で上下に揺することで、ホッパー１を振動させることができるようにする。【選択図】  図１
0003133480.tif 000002
【実用新案登録請求の範囲】
【請求項１】
漏斗状の吐出口を有すると共に、所要量のコンクリートが収納可能なホッパーと、ホッパーの上面に設けられたハンドルとからなることを特徴とするコンクリート打設器 。
【請求項２】
ハンドルとホッパーの間に遊びが設けられていることを特徴とする請求項１記載のコンクリート打設器。
【考案の詳細な説明】
【技術分野】
【０００１】
本考案は、コンクリートの現場打ちによるブロック壁の構築に際して、ブロックの透孔にコンクリートを打設するために使用する器具に関するものである。
【背景技術】
【０００２】
コンクリートブロックの積み上げ及び生コンクリートの現場打ちによってブロック壁を構築する場合、ブロックの透孔に生コンクリートを注入する必要があるが、従来は雨樋の切れ端等を使って流し込んでいた。
【０００３】
一方、サッシ周囲の壁の形成、土壁の形成において、前端に吸込・吐出口を設けかつ後端にガイド蓋を取付けたシリンダーと、ガイド蓋に案内されかつ前端にシリンダーの孔部の内周面を摺動するピストンを具えたロッドとからなり、ピストンの後方動によって前記吸込・吐出口からモルタルを吸込み、かつ前方動によって吸込・吐出口からモルタルを吐出するモルタル打設器（特許文献１参照。）。先端にノズル部を備え、基端に蓋板を脱着可能に取り付けたシリンダーと、このシリンダー内を進退可能に配備され、先端にピストン部を備え基端に握り部を備えた進退ロッドとから成るモルタル注入器（特許文献２参照。）。また、モルタルを受ける受け器を上部に有し、モルタルを注出する注出口を下部に有するモルタル受けと、注出口と嵌合してモルタル受けと一体化可能な嵌合口を一端に有し、モルタルを注出するノズル口を他端に有していて、取り付け枠類の側に用意された充填口へ差し込むために少なくともノズル口部分が変形可能に形成されたノズル体とからなるモルタル充填器具（特許文献３参照。）等が提案されている。
【０００４】
【特許文献１】特許第３４７９５１４号公報
【特許文献２】特許第３４５６９２９号公報
【特許文献３】特許第３０２１４０９号公報
【考案の開示】
【考案が解決しようとする課題】
【０００５】
しかしながら、雨樋の切れ端等を使って流し込む方法は、作業の正確さに欠け、コンクリートを頻繁に補充しなければならず手間がかかり、反復使用は困難である。また、シリンダー式のモルタル打設器は、少量のモルタルを微細な箇所に注入するのには向いているが、ブロック孔への打設には不向きである。本考案は前記従来技術の課題に鑑み、を構築する際、コンクリートブロックの透孔への生コンクリートの打設を迅速にしかも正確且つ容易に行うことができるコンクリート打設器を提供することを目的とする。
【０００６】
このため本考案のコンクリート打設器は、漏斗状の吐出口を有すると共に、所要量のコンクリートが収納可能なホッパーと、ホッパーの上面に設けられたハンドルとからなることを第１の特徴とし、ハンドルとホッパーの間に遊びが設けられていることを第２の特徴とする。
【考案の効果】
【０００７】
本考案は以下に示す優れた効果がある。
（１）ホッパーにコンクリートを頻繁に補充する手間を省力化できる。
（２）ブロック孔に迅速にしかも正確且つ容易にコンクリートを打設することができる。
（３）ハンドルとホッパーの間に遊びが設けられているので、手作業でホッパーを振動させることができ、ホッパーに収納したコンクリートを最後までスムーズに注入することができる。
【考案を実施するための最良の形態】
【０００８】
以下、本考案の実施の形態を図面に示す実施例に基づき説明する。
図１は本考案に係るコンクリート打設器を示す斜視図、図２は本考案に係るコンクリート打設器を示す側面図、図３はコンクリート打設器の使用状態を示す斜視図である。
【実施例】
【０００９】
図１乃至図３は、本考案に係るコンクリート打設器の好ましい一実施形態を示すもので、１は、漏斗状の吐出口１ａを有し、後端開放１ｂされたホッパーである。ホッパー１は、その内部に所要量のコンクリートＣが収納できるようにされている。ホッパー１の上面には中空のハンドル連結筒２が後方に向かい且つ上方に傾斜して一体的に取り付けられている。
【００１０】
木製棒状のハンドル３は、中空のハンドル連結筒２に挿入してピン４で固定されるが、ハンドル３の穿孔されたピン挿通孔３ａは、固定ピン４の直径よりも大径にされるか或いは上下に長い孔にされており、ハンドル３をハンドル連結筒２に固定した状態で、ハンドル３とホッパー１の間に遊びが生じ、ハンドル３を持った状態で上下に揺することで、ホッパー１を振動させることができ、ホッパー１に収納されたコンクリートＣを最後までスムーズに吐出することができるようにされている。
【００１１】
以上のように構成されたコンクリート打設器１は、次のように使用する。
図３に示すように、先ず、ホッパー１に所要量の生コンクリートＣを収納し、コンクリートブロック５の透孔５ａ上に位置決めした漏斗状の吐出口１ａから生コンクリートＣを注入する。その際、ハンドル３持った状態で上下に揺することで、ホッパー１を振動させることができ、ホッパー１に収納されたコンクリートＣを最後までスムーズに吐出することができる。
【００１２】
尚、本考案は、上記実施例によって限定的に解釈されるものではない。例えば、吐出口１ａやホッパー１の形状は任意である。また、ホッパー１の容量は、構築対象のコンクリート壁の大きさ等に応じて適切に決定できる。また、コンクリートブロック５の透孔５ａのみならず、狭小な幅の溝条部分等にコンクリートを打設する際にも有用である。
【図面の簡単な説明】
【００１３】
【図１】本考案に係るコンクリート打設器を示す斜視図である。
【図２】本考案に係るコンクリート打設器を示す側面図である。
【図３】コンクリート打設器の使用状態を示す斜視図である。
【符号の説明】
【００１４】
１    ホッパー
１ａ  吐出口
１ｂ  開放口
２    ハンドル連結筒
３    ハンドル
３ａ  ピン挿通孔（長孔）
４    固定ピン
５    コンクリートブロック
５ａ  透孔
Ｃ    生コンクリート
【図１】
0003133480.tif 000003
【図２】
0003133480.tif 000004
【図３】
0003133480.tif 000005
(57)【要約】【課題】靴の中敷が、使用中定位置をずれたり、離脱することがなく、常に履き心地よく利用できるようにすると共に、履き口をして、より履き易いようにし、合わせて体裁も良好にしたものである。【解決手段】  靴底内面に適合する中敷８を設けると共にその中敷８周囲と甲被下端部９とを中底３周囲で一体に縫着１０してあり、履き口１１は、表材５と裏材６と芯材７を重ね合せた甲被４の上端縁部を内側に折り重ね一体に縫着１２して口縁部１３を形成してなる靴。【選択図】  図１
0003133447.tif 000002
【実用新案登録請求の範囲】
【請求項１】
靴底内面に適合する中敷を設けると共にその中敷周囲と甲被下端部とを中底周囲で一体に縫着してあり、履き口は、表材と裏材と芯材を重ね合せた甲被の上端縁部を内側に折り重ね一体に縫着して口縁部を形成してなる靴。
【考案の詳細な説明】
【技術分野】
【０００１】
本考案は、主に低年齢の子供用靴に関する。
【背景技術】
【０００２】
従来、幼稚園児等の低年齢向きのゴム底靴では、履き心地を良くするために靴底に中敷を差し入れることが行われている。又、靴の履き口部分は、表地と裏地からなる甲被の切断口をバイアステープ等で被着するようにしたものが知られている。
【特許文献１】実開平７−１２２２９号
【考案の開示】
【考案が解決しようとする課題】
【０００３】
しかし、上記従来のように中敷を差し入れ靴底内面に重ねただけのものは、定位置をずれたり、更には離脱して役立たなくなる場合がしばしばであった。又、従来の上記の如き履き口の構造では、履き口の前側に伸縮布部のない靴の場合、子供達にとっては足を靴内に入れ難いという問題があると共に外観上の体裁も好ましいものではなかった。
そこで、本考案では子供用靴の中敷が、使用中定位置をずれたり、離脱することがなく、常に履き心地よく利用できるようにすると共に、履き口をして、より履き易いようにし、合わせて体裁も良好にしたものである。
【課題を解決するための手段】
【０００４】
上記目的を達成するため、本考案に係る靴は次のように構成した。
靴底内面に適合する中敷を設けると共にその中敷周囲と甲被下端部とを中底周囲で一体に縫着してあり、履き口は、表材と裏材と芯材を重ね合せた甲被の上端縁部を内側に折り重ね一体に縫着して口縁部を形成してある。
【考案の効果】
【０００５】
上記構成からなる本考案の靴は、口縁部が甲被の上端縁部を内側に折り重ね一体に縫着されているので、低年齢の子供達が履く場合、口縁に沿って足が滑らかに入り大変履き易い。而して、外観上の体裁も良好である。
又、中敷は、その周囲を甲被下端部に中底周囲で一体に縫着されているので、位置がずれたり、離脱することがないので、使用中の履き心地が常に好適である。
【実施例１】
【０００６】
次に図面に従って本考案の実施例を説明する。
図１乃至３において、１は靴全体を表わし、２はその外底、３は中底を示す。４は甲被であって、５はその表材、６は裏材であり共にナイロン製である。７はポリウレタン製の芯材を示す。８は中底３内面に適合する中敷であって、その周囲全体を甲被下端部９に中底３周囲に沿って縫着１０してある
又、１１は履き口を示し、上記の甲被表材５、甲被裏材６、芯材７を合せてなる甲被４上端縁部を内側に折り重ね、一体に縫着１２して口縁部１３を形成してある。
【図面の簡単な説明】
【０００７】
【図１】本考案に係る靴の斜面図である。
【図２】同上平面図である。
【図３】図２におけるＡ−Ａ線端面図である。
【符号の説明】
【０００８】
１    靴全体
２    外底
３    中底
４    甲被
５    表材
６    裏材
７    芯材
８    中敷
９    甲被下端部
１０    縫着
１１    履き口
１２    縫着  
１３    口縁部  
【図１】
0003133447.tif 000003
【図２】
0003133447.tif 000004
【図３】
0003133447.tif 000005
(57)【要約】      （修正有） 【課題】電気湯たんぽの発熱体として、水を変色させることなく、液体中に電圧を発生させることなく、安全に、短時間に温度上昇をさせることができる装置を提供する。【解決手段】シリコンゴムなどに覆われたヒーター線９、放熱板８付温度ヒューズ７をプラスチック上に組み込んだ発熱装置１を用い、安全に、短時間に水を温度上昇させる。この場合には、水の変色、液体中に電圧は発生しない。通電中に湯たんぽが壊れたとしても、温度ヒューズが遮断され、例え、温度ヒューズが動作しなかったとしても、ヒーター線が空気中で焼き切れ、通電しなくなり、火災などの問題は発生しない。【選択図】図１
0003133446.tif 000002
【実用新案登録請求の範囲】
【請求項１】
ニクロム線などのヒーター線を、直接、あるいは、ガラスウール芯に巻きつけ、それをシリコンゴムで覆ったシリコンゴムヒーター線、あるいは、フッ素樹脂（ＦＥＰ）で覆われたＦＥＰコードヒーター線をプラスチック上に組み込んだ発熱装置。
【請求項２】
火災防止の為に、放熱板と共に温度ヒューズを組み込んだ請求項１の発熱装置。
【請求項３】
温度上昇に伴う対流によって請求項１の発熱装置を浮き上がらせない為に、電気湯たんぽの上下シール箇所に、あるいは、電気湯たんぽの底面に直接、プラスチックシートを用い、請求項１の発熱装置と共にシーリングし、移動を制限された請求項１の発熱装置。
【考案の詳細な説明】
【技術分野】
【０００１】
本考案は、電気湯たんぽの熱源として、シリコンゴムなどで覆われたヒーター線を用い、水を直接温める装置に関するものである。
【背景技術】
【０００２】
電気湯たんぽは、水、あるいは、水に塩などの不純物を入れた液体に交流電圧を印加し、電気分解の技術で、液体を発熱体として温度上昇をさせており、電気湯たんぽが膨らみ続けると共に、電極が酸化され、液体が変色し、しかも、液体中に電圧が存在する。
【０００３】
その改善策として、ヒーター線を用いて水の温度上昇を行なう。
【特許文献１】実願２００６−００４６０９
【考案の開示】
【考案が解決しようとする課題】
【０００４】
本考案は、電気湯たんぽの膨らみを抑え、水を変色させず、如何に安く、安全に、短時間に温めるかが課題です。
【課題を解決するための手段】
【０００５】
本考案は上述の課題を解決する為に、シリコンゴムなどで覆われたヒーター線と温度ヒューズをプラスチック上に組み込み、水を直接温める装置を提供するものである。
【考案の効果】
【０００６】
電気湯たんぽ内の水には電圧が印加されておらず、安全である。
【０００７】
電気湯たんぽ内の水が変色しない。
【０００８】
万一、通電中に電気湯たんぽが裂けたとしても、温度ヒューズが遮断され、万一、温度ヒューズが動作しなかったとしても、ヒーター線が切れ、火災などの問題もなく、安全である。
【０００９】
電気分解の技術を用いた電気湯たんぽは電気分解によって発生する気体で膨張するが、本発熱装置を用いると膨らみに限度がある。
【考案を実施するための最良の形態】
【００１０】
プラスチック上にシリコンゴムなどで覆われたヒーター線、放熱板、及び、温度ヒューズを組み込み、温度上昇に伴う対流によるプラスチックの移動を制限することです。
【実施例】
【００１１】
図１、図２を用い、本発熱装置を説明します。
電気湯たんぽは電源コード１、湯たんぽ３で構成されており、湯たんぽの構造は電源ソケット２、バイメタルなどのサーモスタット４、ヒューズなどの安全機構５、ＬＥＤなどの表示器６、プラスチック１２上に温度ヒューズ７、放熱板８、シリコンゴムヒーター線９が組み込まれた発熱装置１０で形成されております。通電することで、水の温度上昇が発生します。温度上昇に伴って、発熱装置１０が浮き上がるので、その防止の為に、ヒーター固定用プラスチックシート１4を湯たんぽ上下シール面１３と共に溶着し固定します。  万一、通電中に湯たんぽが裂けた際には、温度ヒューズ７が遮断され、例え、温度ヒューズ７が動作しなかったとしても、ヒーター線が空気中で焼き切れ、通電しなくなり、火災などの問題は発生しない。水の変色がない。
【産業上の利用可能性】
【００１２】
本考案は安全で、安価で水を温めることができ、電気湯たんぽの発熱装置として使用できる。
【図面の簡単な説明】
【００１３】
【図１】電気湯たんぽ配線図
【図２】発熱装置１０の固定方法
【符号の説明】
【００１４】
１  電源コード、プラグ
２  電源ソケット
３  湯たんぽ
４  バイメタルなどのサーモスタット
５  ヒューズなどの安全機構
６  ＬＥＤなどの表示器
７  温度ヒューズ
８  放熱板
９  シリコンゴムヒーター線
１０  プラスチック上に温度ヒューズ、シリコンゴムヒーターが組み込まれた発熱装置
１１  水
１２  プラスチック
１３  湯たんぽ筐体上下シール面
１４  ヒーター固定用プラスチックシート
【図１】
0003133446.tif 000003
【図２】
0003133446.tif 000004
(57)【要約】【課題】  紙製名刺箱において、中に入れた名刺の取出しが容易にでき、かつ安価に製作できるようにする。【解決手段】  底壁と底壁を取り囲む四側壁を有する身と、頂壁と頂壁を取り囲む四側壁を有する蓋を展開した形状で打ち抜き、身と蓋の一つの側壁を連続壁として所定の個所を折って箱に組み立てる紙製名刺箱において、連続壁のうちの身側の側壁の中央部を欠落させたことを特徴とする紙製名刺箱。【選択図】  図１
0003133491.tif 000002
【実用新案登録請求の範囲】
【請求項１】
底壁と底壁を取り囲む四側壁を有する身と、頂壁と頂壁を取り囲む四側壁を有する蓋を展開した形状で打ち抜き、身と蓋の一つの側壁を連続壁として所定の個所を折って箱に組み立てる紙製名刺箱において、連続壁のうちの身側の側壁の中央部を欠落させたことを特徴とする紙製名刺箱。
【請求項２】
身と蓋の側壁が連続壁を除いて内側に折り返された二重壁を構成している請求項１の紙製名刺箱。
【請求項３】
蓋の頂壁の一部に窓が形成され、この窓に裏面から透明紙が貼着されている請求項１又は２の紙製名刺箱。
【考案の詳細な説明】
【技術分野】
【０００１】
本考案は、紙製名刺箱に関するものである。
【背景技術】
【０００２】
低コスト化を期して紙製の名刺箱が存在する（特許文献１）。この先行例のものは、従来の樹脂製のものと同様に身と蓋とが分離したものであるが、材料が柔軟性のある紙であることから、身と蓋とを一つの側壁で連続させたものもある（特許文献２）。さらに、紙は一般的には不透明であることから、上記二つの先行例のものでは、蓋の頂壁の一部に窓を形成している。
【特許文献１】実用新案登録第３０７８４９０号公報
【特許文献２】特開２００２−２２５８５４号公報
【考案の開示】
【考案が解決しようとする課題】
【０００３】
本考案は、紙の有利な点はそのまま利用するとともに、名刺箱として更に有効な構成を施したものである。
【課題を解決するための手段】
【０００４】
そこで、本考案は、請求項１に記載した、底壁と底壁を取り囲む四側壁を有する身と、頂壁と頂壁を取り囲む四側壁を有する蓋を展開した形状で打ち抜き、身と蓋の一つの側壁を連続壁として所定の個所を折って箱に組み立てる紙製名刺箱において、連続壁のうちの身側の側壁の中央部を欠落させたことを特徴とする紙製名刺箱を提供したものである。
【０００５】
そして、これにおいて、請求項２に記載した、身と蓋の側壁が連続壁を除いて内側に折り返された二重壁を構成している手段、請求項３に記載した、蓋の頂壁の一部に窓が形成され、この窓に裏面から透明紙が貼着されている手段を提供する。
【考案の効果】
【０００６】
請求項１の手段によると、中の名刺を取り出そうとして蓋を外したとき、身との連続壁（片）は身の底壁との境界を折線として折れ曲がることになり、このとき、身側の側壁は中央部が欠落しているから、この間に指が入り、名刺が取り出し易い。特に、名刺が少なくなったときにこの効果は大きい。また、欠落部を設けることによって、身と蓋の全体を一枚の紙に展開でき、製作費を抑えることができる。請求項２の手段によると、紙であることの強度不足を補うし、請求項３の手段によると、誰の名刺であるかの確認が容易である。
【考案を実施するための最良の形態】
【０００７】
図１は本考案に係る紙製名刺箱（以下、単に名刺箱という）Ａを開いたときの斜視図、図２は閉じたときの斜視図、図３は閉じたときの断面図であるが、この名刺箱Ａは、適当な厚みの紙を用いて縦９５ｍｍ、横５８ｍｍ、高さ２５ｍｍ程度の直方体を構成するものである。そして、身１と蓋２とからなるが、基本的には、身１は底壁３の四辺に四つの側壁４〜７が起立するものであり、蓋２も頂壁８の四辺に四つの側壁９〜１２が垂下するものである。
【０００８】
この場合、側壁７と側壁１２とが身と１と蓋２とを連結する連続片（壁）Ｂを構成することになり、蓋２はそれぞれの上線と下線を折曲線（蝶番）１３、１４として折れ曲がり、身１に対して開閉する。したがって、この名刺箱Ａは、身１と蓋２とが分離しないものである。本考案は、上記した身１の連続片Ｂ側の側壁７が端側のみ存在し、中央部が欠落した欠落部１５に形成されているものである。なお、この欠落部１４の形成方法については後述する。加えて、本例の名刺箱Ａは、身１の中に入れた名刺が誰のものであるかがわかるように蓋２の頂壁８の中央辺りに窓１６も形成されている。
【０００９】
図５は以上の名刺箱Ａの展開形状を示す平面図であり、この外郭形状をトムソン加工等によって打ち抜く。そして、これを組み立てれば、上記した名刺箱Ａになる。なお、本例では、連続片Ｂを除く身１と蓋２の側壁４〜６、９〜１１は上部で折り返される二重にして強度を確保している。この場合、身１の側壁５、６の両端に挟込片１７、１８を形成し（蓋２の側壁１０、１１の頂壁８側にも挟込片１９を形成している）、これを側壁４、９を折り曲げるときに挟んで結合をより強化している。
【００１０】
したがって、身１の連続片Ｂ側における側壁７はこの挟込片１７のみとなり、この間が欠落部１５となる。このように、欠落部１５を設けることにより、トムソン加工が可能な一枚の紙に展開できる。この他、窓１６の裏面になる面に透明な樹脂や紙のフィルム２０を貼っておくと、ここからゴミが侵入してくることを防ぐことができる。なお、窓１６は購入者が使用前に形成するようなこともでき、それには、窓１６の輪郭に沿ってミシン目等を形成しておくことである。これも展開形状に形成できるし、これによると、フィルム２０が不要になることがある。また、２１は蓋２を開けるときの手掛かり部であり、これも予め打ち抜いておく。
【００１１】
図４は名刺箱Ａに名刺２２を入れた状態の断面図であるが、名刺２２が残り少なくなったとしても、指２３が欠落部１５に挿入できるから、一番上の名刺２２を引っ掛けて容易に取り出すことができる。
【図面の簡単な説明】
【００１２】
【図１】紙製名刺箱の開いたときの斜視図である。
【図２】紙製名刺箱の閉じたときの斜視図である。
【図３】紙製名刺箱の閉じたときの断面図である。
【図４】紙製名刺箱の開いたときの断面図である。
【図５】紙製名刺箱の組立前の展開図である。
【符号の説明】
【００１３】
１      身
２      蓋
３      身の底壁
４      身の側壁
５      身の側壁
６      身の側壁
７      身の側壁
８      蓋の頂壁
９      蓋の側壁
１０    蓋の側壁
１１    蓋の側壁
１２    蓋の側壁
１３    蓋の折曲線
１４    蓋の折曲線
１５    欠落部
１６    窓
１７    挟込片
１８    挟込片
１９    挟込片
２０    フィルム
２１    手掛かり部
２２    名刺
２３    指
【図１】
0003133491.tif 000003
【図２】
0003133491.tif 000004
【図３】
0003133491.tif 000005
【図４】
0003133491.tif 000006
【図５】
0003133491.tif 000007
(57)【要約】【課題】パイプ椅子に着席して書物や筆記具を利用したり、軽食をする場合に、それらの物品を常時手で持つか、床あるいは周囲の椅子の座部に置くしかない。このような状況が長時間続くと手が疲れ自由が利かないし、床に置くと危険性や非衛生が生じる。また、他の椅子の座部に置くと、その椅子を占有して他の人が着席できなくなる。【解決手段】本考案は、パイプ椅子にテーブルを取付けて、そのテーブルに書物や筆記具、軽食用の皿やコップを置けるようにする。この場合、テーブルをパイプ椅子に固定して取付けると、椅子の重量が増して持ち運びが不便になるので、テーブルを着脱式にして課題を解決する。【選択図】  図１
0003133496.tif 000002
【実用新案登録請求の範囲】
【請求項１】
テーブル板と、パイプ椅子の背もたれの支柱をガイドとしてスライドできる溝を備え、前記テーブル板に配設される側板を有するパイプ椅子用テーブル
【請求項２】
請求項１に記載のパイプ椅子用テーブルにおいて、前記側板の溝がパイプ椅子の背もたれの支柱を挟みながらスライドし、その側板の下端がパイプ椅子の後部脚の上部先端に当接して、位置決めされることを特徴とするパイプ椅子用テーブル
【請求項３】
請求項１または請求項２に記載のパイプ椅子用テーブルにおいて、前記テーブル板の床面からの高さが、前記側板の上下方向長さによって変えられることを特徴とするパイプ椅子用テーブル
【考案の詳細な説明】
【技術分野】
【０００１】
本考案は、パイプ椅子の背もたれの支柱をスライドする側板とテーブル板を一体化したテーブルに関するものである。
【背景技術】
【０００２】
パイプ椅子に着座して書類や筆記具を利用したり、軽食をする場合に、それらの物品を常時手で持つか、床あるいは周囲の椅子の座部に置いていた。
【考案の開示】
【考案が解決しようとする課題】
【０００３】
しかしながら、これでは、長時間続くと手が疲れ自由が利かないし、床に置くと危険性や非衛生が生じるし、他の椅子の座部に置くと、その椅子を占有して他の人が着席できなくなるという問題があった。
【０００４】
本考案は、前記問題点を解決すべくなされたものであり、パイプ椅子に取付けて、書類や筆記具、軽食用の皿やコップを置くことができるパイプ椅子用テーブルを提供することを目的とする。
【課題を解決するための手段】
【０００５】
本考案において、パイプ椅子用のテーブル板は、パイプ椅子を設置した床面と水平を保つ必要があるので、側板の溝はパイプ椅子の背もたれの支柱の傾斜に沿ったものとし、その溝を備えた側板とテーブル板を一体化して水平が保たれるようにした。
本考案のパイプ椅子用テーブルは、工具やネジなどの部品を使用しないで短時間にパイプ椅子に取付けや取り外しが可能であり、また着脱式であるため、椅子の重量が増して持ち運びが不便になるということはない。
【考案の効果】
【０００６】
本考案のパイプ椅子用テーブルを使用すると、書類や筆記具などが置けるので、両手の自由が利き長時間の会合でも手が疲れないし、危険性や非衛生がなくなり、他の椅子を物置きに代用することがなくなる。
【考案を実施するための最良の形態】
【０００７】
本考案のパイプ椅子用テーブル１は、図１、図２に示すようにテーブル板２と、テーブル板２の両側端に配設された側板３とから成る。側板３は、パイプ椅子４の背もたれの支柱５に係合する溝３ａを有する。
【０００８】
パイプ椅子用テーブル１のテーブル板２は、パイプ椅子４を設置した床面と水平を保つ必要があるので、側板３の溝３ａはパイプ椅子の背もたれの支柱５の傾斜に沿ったものとし、その溝３ａを備えた側板３とテーブル板２を一体化して、テーブル１を取付けた場合に、テーブル板２がパイプ椅子４を設置した床面と水平になることを実現する。
【０００９】
図１に示すように、パイプ椅子用テーブル１は、パイプ椅子４の背もたれの支柱５に側板３の溝３ａをはめて、パイプ椅子４の後部脚６の上部先端までスライドさせる。
【００１０】
側板３の下端が、後部脚６の上部先端に至ると、側板３が後部脚６の上部先端に当接してパイプ椅子用テーブル１は、位置決めされる。
【００１１】
パイプ椅子用テーブル１をパイプ椅子４に取付けると、図２に示すように、テーブル板２がパイプ椅子４を設置する床面に対して水平となる。
このように、本考案のパイプ椅子用テーブル１がパイプ椅子４に取付けられると、特に、パイプ椅子用テーブル１が取付けられたパイプ椅子４の後列にある不図示のパイプ椅子に着席した者がパイプ椅子用テーブル１を利用可能とする。
【００１２】
ここで、本考案では、側板３の溝３ａが設けられた部分の上下方向長さを変えることによって、テーブル板２の床面からの高さを変えることが可能となる。
【００１３】
以上、本考案によれば、パイプ椅子用テーブルを使用すると、書類や筆記具などが置けるので、両手の自由が利き長時間の会合でも手が疲れないし、危険性や非衛生がなくなり、他の椅子を物置きに代用することがなくなる。
【００１４】
さらには、パイプ椅子用テーブルは、工具やネジなどの部品を使用しないで短時間にパイプ椅子に取付けや取り外しが可能であり、また着脱式であるため、椅子の重量が増して持ち運びが不便になるということはない。
【産業上の利用可能性】
【００１５】
椅子の背もたれ部の周囲、または背もたれの支柱がパイプ製の場合に、類似のテーブルの製作および用途に適用可能である。
【図面の簡単な説明】
【００１６】
【図１】本考案のパイプ椅子用テーブルを説明する概略図
【図２】パイプ椅子にパイプ椅子用テーブルを取付けた状態を示す側面図
【符号の説明】
【００１７】
１  テーブル
２  テーブル板
３  側板
３ａ  溝
４  パイプ椅子
５  背もたれの支柱
６  後部脚
【図１】
0003133496.tif 000003
【図２】
0003133496.tif 000004
(57)【要約】      （修正有）【課題】ストールの使用方を多様化できる構造にして、胸部や、腰部、腕部にも自由に着用できるようにし、需要の拡大を計るようにする。【解決手段】ストール本体１を編物の生地で長方形に形成し、本体の長手方向の一側端に沿って折返縁２を縫着して紐孔３を設け、その紐孔に紐４を挿通し、紐の両端部５，５を所要長さ突出させると共に紐センター部６は折返縁２に止着してあり、紐止着部の両側には適宜間隔をおいて、一方の側には折返縁に沿って数個のボタン７を列設し、他側にはボタン７を掛け止めできるボタン止めループ８を列設すると共に、本体の紐孔３と反対側の端縁９にもボタン７及びボタン止めループ８に夫々対応する位置に相互に掛け止めできるボタン止めループ１０及びボタン１１を夫々列設してある。【選択図】図１
0003133281.tif 000002
【実用新案登録請求の範囲】
【請求項１】
ストール本体を編物の生地で長方形に形成し、上記本体の長手方向の一側端に沿って折返縁を縫着して紐孔を設け、その紐孔に紐を挿通し、紐の両端部を所要長さ突出させると共に紐センター部は折返縁に止着してあり、紐止着部の両側には適宜間隔をおいて、一方の側には折返縁に沿って数個のボタンを列設し、他側には上記ボタンを掛け止めできるボタン止めループを列設すると共に、本体の紐孔と反対側の端縁にも上記ボタン及びボタン止めループに夫々対応する位置に相互に掛け止めできるボタン止めループ及びボタンを夫々列設してなるストール。
【考案の詳細な説明】
【技術分野】
【０００１】
本考案は、防寒、装飾用を目的とした多用途のストールに関するものである。
【背景技術】
【０００２】
従来の防寒、装飾用のストールとしては、首から肩に掛けて着用するようにした長方形状の布地で形成し、着用するようにしたものが一般に使用されているが、その用途は通常肩掛け、膝掛け、マフラー等の用途に限られていた。
【特許文献１】実公平６−３４３２６号
【考案の開示】
【考案が解決しようとする課題】
【０００３】
そこで、本考案品は更に多くの用途に使用できる構造にして、胸部や、腰部、腕部にも自由に着用できるようにし、需要の拡大を計ることができるようにしたものである。
【課題を解決するための手段】
【０００４】
上記目的を達成するたに、本考案にかかるストールは次のように構成した。
ストール本体を編物の生地で長方形に形成し、上記本体の長手方向の一側端に沿って折返縁を縫着して紐孔を設け、その紐孔に紐を挿通し、紐の両端部を所要長さ突出させると共に紐センター部は折返縁に止着してあり、紐止着部の両側には適宜間隔をおいて、一方の側には折返縁に沿って数個のボタンを列設し、他側には上記ボタンを掛け止めできるボタン止めループを列設すると共に、本体の紐孔と反対側の端縁にも上記ボタン及びボタン止めループに夫々対応する位置に相互に掛け止めできるボタン止めループ及びボタンを夫々列設してある。
【考案の効果】
【０００５】
上記構成によりなる本考案のストールは、従来品のように肩掛け、膝掛け、ショールとして使用できる他、ループにボタンを掛け合せてカーディガンとして利用したり、更に、紐を適宜締めてケープ、チューブトップ、そしてスカートとして着用することもできる。なお、肩掛け時には本体の両端部よりのループ列にボタンを夫々掛け合せボレロとしても着用することができる。
【実施例１】
【０００６】
１は長方形の編物地で形成した本体であって、その長手方向の一側端に沿って折返縁２を縫着して紐孔３を設けてある、４は上記紐孔内に挿通し、両端部５、５を適宜長さ突出させた紐を示す。上記紐のセンター部６は折返縁２に縫着して抜けないよう止めてある。
上記紐センター部６の両側には適宜間隔をおいて、一方の側には折返縁２に沿って数個のボタン７を列設し、他方の側には上記ボタン７を夫々掛け止めできる位置にボタン止めループ８を設けてある。
更に、本体の紐孔３と反対側の端縁９にも上記ボタン７及びボタン止めループ８に夫々対応する位置に、相互に掛け止めできる数個のボタン止めループ１０及びボタン１１を夫々列設してある。
本考案品の使用方法につき説明する。
図２に示すようにストールの中央部を背中に当てるようにして肩に掛け、前側でボタン止めループ８にボタン７を夫々装着するとカーディガンとして使用できる。
又、図３に示すように紐孔側を少し引き締めて肩に掛けるとケープとして使用でき、又図４に示すように紐孔側を腰部に掛けるとスカートとして使用できる。又、図５に示すように紐孔３側を胸部に掛けるとチューブトップとして着用することもできる。
更に図６に示すように、肩掛け状態で左右両側部のボタン７，１１を夫々ボタン止めループ１０，８に掛け、筒状にして手を通し、ボレロとしても使用することもできる。
なお、肩掛けとして、膝掛けとして、或はマフラーとして使用できることは従来と同様であるので図示省略する。
【図面の簡単な説明】
【０００７】
【図１】本考案に係るストールの平面図である。
【図２】カーディガンとしての使用状態図である。
【図３】ケープとしての使用状態図である。
【図４】スカートとしての使用状態図である。
【図５】チューブトップとしての使用状態図である。
【図６】ボレロとしての使用状態図である。
【図７】図１におけるＡ−Ａ線断面図である。
【符号の説明】
【０００８】
１    本体
２    折返縁
３    紐孔
４    紐
５    紐端部
６    紐センター部
７    ボタン
８    ボタン止めループ
９    端縁
１０    ボタン止めループ
１１    ボタン
【図１】
0003133281.tif 000003
【図２】
0003133281.tif 000004
【図３】
0003133281.tif 000005
【図４】
0003133281.tif 000006
【図５】
0003133281.tif 000007
【図６】
0003133281.tif 000008
【図７】
0003133281.tif 000009
(57)【要約】      （修正有）【課題】掛合体を使った球体造形の固定構造の提供。【解決手段】掛合体を使った球体造形の固定構造は、球体１０の空気充填口１１に掛合孔１２を設置して掛合体を設置した紐体２０を固定として使用し、複数個の球体を自在な造形に組み合わせる。ＰＶＣプラスチック材を熱圧で接合して一体化した掛合体、ナイロン紐とする掛合体、二個の環体から構成される掛合体を使った該球体造形の固定構造。該掛合体の開口箇所は、弾性部品と停止部品を設置し、弾性部品の弾力で停止部品が開口を塞ぐ。【選択図】図２
0003133285.tif 000002
【実用新案登録請求の範囲】
【請求項１】
球体と紐体から構成された掛合体を使った球体造形の固定構造において、
球体は空気充填口を設置し、その空気充填口外部に掛合孔を設置し、掛合体を設置した紐体を固定用に結び、球体を掛合して自在な造形を作ることを特徴とする掛合体を使った球体造形の固定構造。
【請求項２】
前記球体は、ＰＶＣプラスチック材を熱圧で接合して一体化したものであることを特徴とする請求項１記載の掛合体を使った球体造形の固定構造。
【請求項３】
前記紐体は、ナイロン紐とすることを特徴とする請求項１記載の掛合体を使った球体造形の固定構造。
【請求項４】
前記掛合孔は、二個の環体から構成されることを特徴とする請求項１記載の掛合体を使った球体造形の固定構造。
【請求項５】
前記掛合体の開口箇所は、弾性部品と停止部品を設置し、弾性部品の弾力で停止部品が開口を塞ぐことを特徴とする請求項１記載の掛合体を使った球体造形の固定構造。
【考案の詳細な説明】
【技術分野】
【０００１】
本考案は、掛合体を使った球体造形の固定構造に関するもので、球体の連結及び固定技術である。
【背景技術】
【０００２】
一般に結婚式や式典、イベント等の場で、各種異なる風船をアーチ門のように飾り、式典やイベントの喜びや楽しさを高める。解決しようとする問題点は、公知でよく見かける風船の縛り固定に関し、ビニール紐もしくは細紐で風船の口を縛るのであるが、落ちやすい上に作業が面倒である。
【０００３】
更に公知のビニール紐もしくは細紐は切れやすく、耐強度が良くない。更に公知のゴム風船は日に当たると、風船がしぼんだり、割れたりするため、重複使用率が低い点である。
【考案の開示】
【考案が解決しようとする課題】
【０００４】
本考案者関連製品の製造、設計に当たっており、長年の実務経験から公知風船に係わる問題と欠点に関し、積極的に研究を重ねてきて、この度の掛合体を利用した球体造形の固定構造が完成した。
【０００５】
本考案の問題解決に係わる技術手段及び公知の技術を対比した効果を説明する。この球体の空気充填口外部には掛合孔が設置され、他に紐体一端に掛合体を設置する。球体を掛合及び固定する時、掛合体を直接球体の掛合孔内に掛合すればよく、球体固定のために紐を縛る時間を節約し、作業も非常に簡単で便利である。更に掛合体の開口には弾性停止部品を設置し、掛合体を掛合孔に掛合した時、弾性停止部品が即座に開口を塞ぎ、有効に球体の脱落を防止する。
【０００６】
この他、本考案の紐体はナイロン紐で、一般のビニール紐もしくは細紐に比べて強靭で球体を掛合しても切れにくい。更に本考案の球体が使用するＰＶＣプラスチック材は一般のゴム風船と比べて日に当たっても強く、且つ萎んだり、割れたりしにくいので、結婚式、式典、イベント等終了後、子どもに配り、玩具として使用することができ、また重複して使用することもできる。
【課題を解決するための手段】
【０００７】
請求項１の考案は、球体と紐体から構成された掛合体を使った球体造形の固定構造において、
球体は空気充填口を設置し、その空気充填口外部に掛合孔を設置し、掛合体を設置した紐体を固定用に結び、球体を掛合して自在な造形を作ることを特徴とする掛合体を使った球体造形の固定構造としている。
請求項２の考案は、前記球体は、ＰＶＣプラスチック材を熱圧で接合して一体化したものであることを特徴とする請求項１記載の掛合体を使った球体造形の固定構造としている。
請求項３の考案は、前記紐体は、ナイロン紐とすることを特徴とする請求項１記載の掛合体を使った球体造形の固定構造としている。
請求項４の考案は、前記掛合孔は、二個の環体から構成されることを特徴とする請求項１記載の掛合体を使った球体造形の固定構造としている。
請求項５の考案は、前記掛合体の開口箇所は、弾性部品と停止部品を設置し、弾性部品の弾力で停止部品が開口を塞ぐことを特徴とする請求項１記載の掛合体を使った球体造形の固定構造としている。
【考案の効果】
【０００８】
本考案の掛合体を使った球体造形の固定構造は、脱落しにくく、作業も簡単で便利であるという利点がある。
【考案を実施するための最良の形態】
【０００９】
一種の掛合体を使った球体造形の固定構造において、図１に示すのは、本考案の立体分解概略図で、球体１０と紐体２０を含む。
【００１０】
そのうち、この球体１０は、ＰＶＣプラスチック材で熱圧接合して一体化され、球体１０上には空気充填口１１を設置し、そこから息を吹き込むか、もしくは空気ボンベで球体に空気を入れて膨らます。この特徴は空気充填口１１外部に二個の掛合孔１２が設置され、図に示す掛合孔１２は二個の環体１３で形成される。
【００１１】
紐体２０は強靭特性を具えたナイロン紐で、紐体２０一端に掛合体２１を設置する。この掛合体２１は開口２２に弾性部品（図未提示）と停止部品２３を設置し、弾性部品（図未提示）の弾力により、停止部品２３が開口２２を塞ぐ。
【００１２】
上述の各部品構造の組み立てにより完成した本考案は、掛合体を使った球体造形の固定構造で、図２，３に示すのは、本考案で球体を掛合した動作及び状態概略図である。実際において、紐体２０で球体１０を掛合及び固定する時、掛合体２１を球体１０の空気充填口１１外部の掛合孔１２内に掛合すればよく、掛合体２１の開口２２に停止部品２３を設置するので、掛合体２１が掛合孔に掛合され、停止部品２３上の弾性部品（図未提示）によって開口２２を塞ぐと、球体１０は脱落しない。
【００１３】
上述の本考案が提供する掛合体を利用した球体造形の固定構造は使用者が実際の要求に基づき、球体１０を団塊状に連結するか（図４、図５参照）、もしくは球体１０を房状に連結する（図６参照）。
【００１４】
上述に述べた本考案は、掛合体を利用した球体造形の固定構造で、本考案者が実際に製作して反復テストを経た後、本考案の効果を確認する。
【図面の簡単な説明】
【００１５】
【図１】本考案の立体分解概略図である。
【図２】本考案の球体を掛合する動作概略図である。
【図３】本考案の球体を掛合する状態概略図である。
【図４】本考案の球体を団塊状に連結した立体概略図である。
【図５】本考案の球体を団塊状に連結した平面概略図である。
【図６】本考案の球体を房状に連結した立体概略図である。
【符号の説明】
【００１６】
１０  球体
１１  空気充填口
１２  掛合孔
１３  環体
２０  紐体
２１  掛合体
２２  開口
２３  停止部品
【図１】
0003133285.tif 000003
【図２】
0003133285.tif 000004
【図３】
0003133285.tif 000005
【図４】
0003133285.tif 000006
【図５】
0003133285.tif 000007
【図６】
0003133285.tif 000008
(57)【要約】      （修正有）【課題】装飾的効果を備えたガラスを有する仏壇を提供する。【解決手段】装飾ガラス体１を仏壇の戸３、厨子５、欄間７又は雲に取り付けたことを特徴とする仏壇。装飾ガラス体は、サンドブラストを施してなるガラス、エッチングを施してなるガラス、被せガラス、ステンドグラス又は彩色ガラスである。仏壇は、金仏壇、唐木仏壇、家具調仏壇等、その種類を問わない。戸は、外戸（大戸）であってもよいが、内戸であってもよい。サンドブラストを施してなるガラスには、平彫り、立体段彫り、被せ段彫り等が含まれる。【選択図】図１
0003133224.tif 000002
【実用新案登録請求の範囲】
【請求項１】
装飾ガラス体を仏壇の戸、厨子、欄間又は雲に取り付けたことを特徴とする仏壇。
【考案の詳細な説明】
【技術分野】
【０００１】
本考案は仏壇に関するものである。
【背景技術】
【０００２】
仏壇は、例えば掛軸（曼荼羅）、仏像、位牌等を安置する礼拝の対象として、従来より一般家庭で使用されている。
【０００３】
実開昭６２−１３６８８０号公報は、扉が正面に絵画、写真等の装飾物をガラス板にて保持する額縁をなしている仏壇（以下「従来の仏壇」という。）を開示している。
【特許文献１】実開昭６２−１３６８８０号公報
【考案の開示】
【考案が解決しようとする課題】
【０００４】
上記従来の仏壇における扉（戸）は、絵画、写真等の装飾物を保持するガラス板を備えているのであるが、このガラス板は絵画、写真等の装飾物を透視可能な状態に保持するものであるに過ぎない。すなわち、仏壇の看者は、ガラス板自体を見て楽しむものではなく、ガラス板の背面側にある絵画、写真等の装飾物を見るのである。換言すれば、ガラス板自体は、全く装飾的意味を有しないものである。
【０００５】
このような状況に鑑み、本考案は、装飾的効果を備えたガラスを有する仏壇を提供しようとしてなされたものである。
【課題を解決するための手段】
【０００６】
上記課題を解決するために、本考案は、装飾ガラス体を仏壇の戸、厨子、欄間又は雲に取り付けたことを特徴とする仏壇を提供する。
【考案の効果】
【０００７】
本考案による仏壇は、装飾的効果を備えた装飾ガラス体を仏壇の戸、厨子、欄間又は雲に取り付けているため、礼拝の対象物でありながら、極めて美しいものとなる。したがって、本考案による仏壇は、仏間に配設するに適しているのみならず、居間、寝室等の部屋に一つの家具として好ましく配設され、当該部屋を飾るものとなる。
【考案を実施するための最良の形態】
【０００８】
本考案による仏壇は、装飾ガラス体１を仏壇の戸３、厨子５、欄間７又は雲９に取り付けている。
【０００９】
戸は、外戸（大戸）３であってもよいが、内戸３’であってもよい。雲９は、内戸３’を開いたときに厨子５の上部に見える部材である。
【００１０】
仏壇は、金仏壇、唐木仏壇、家具調仏壇等、その種類やデザイン等を問わない。
【００１１】
金仏壇は、ヒノキ、杉等の白木に漆を塗着し、金箔を取り付けてなる仏壇である。
【００１２】
唐木仏壇は、黒檀、紫檀、ケヤキ、桜、鉄刀木、桑、桐等の高級木を用いてなる仏壇である。
【００１３】
家具調仏壇は、洋風住宅、マンション等に適した家具調の仏壇である。
【００１４】
本考案において、「装飾ガラス体」とは、サンドブラストを施してなるガラス、エッチングを施してなるガラス、被せガラス、ステンドグラス又は彩色ガラスをいう。装飾ガラス体１は、デザインの如何を問わない。
【００１５】
サンドブラストを施してなるガラスは、砂をガラスの表面に吹き付けることにより彫刻してなるガラスである。彫刻された部分はつや消し状となる。適宜マスキングが用いられる。
【００１６】
サンドブラストを施してなるガラスには、平彫り、立体段彫り、被せ段彫り等が含まれる。
【００１７】
エッチングを施してなるガラスは、ガラスの表面に薬液を塗着することにより彫り込んでなるガラスである。エッチングを施してなるガラスは、サンドブラストを行った後に薬液処理してなるガラスを含む。
【００１８】
被せガラスは、複数のガラスを重ね合わせてなるものである。重ね合わせるガラスの色により、種々の色調があらわれる。
【００１９】
ステンドグラスは、一例として、多数の色ガラス片を銅テープを介して組み合わせてなるものである。
【００２０】
彩色ガラスは、彩色を施してなるガラスである。
【００２１】
装飾ガラス体１を仏壇の戸３、厨子５、欄間７又は雲９に取り付けた仏壇内には、適宜、照明手段を配設してもよい。
【図面の簡単な説明】
【００２２】
【図１】外戸を開いた状態の仏壇の一例を示す正面図である。
【図２】外戸を閉じた状態の同上仏壇を示す正面図である。
【図３】外戸と内戸とを開いた状態の別の仏壇を示す正面図である。
【符号の説明】
【００２３】
１  装飾ガラス体
３  戸
５  厨子
７  欄間
９  雲
【図１】
0003133224.tif 000003
【図２】
0003133224.tif 000004
【図３】
0003133224.tif 000005